【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
動力化されたオーニングまたはブラインドの移動構造体に留められ、家またはビルのオートメーション設備における風セキュリティー信号を送信するようにされたセンサ送信機であって、
ケーシングにおいて、
自主的な電源と、
振動センサと、
無線送信機と、
前記振動センサから獲得された信号を分析し、前記無線送信機によって前記風セキュリティー信号を送信するかどうかを決定する論理処理ユニットと、を備え、前記センサ送信機は、前記ケーシングの機械的状態を検出する手段を備え、前記センサ送信機は、
風セキュリティースレッショルドに達したときに前記オーニングまたはブラインドを引っ込めるために、前記ケーシングが閉鎖され、前記移動構造体に留められる動作状態において、前記風セキュリティー信号の送信は、当該動作状態においてイネーブルとされると共に、他の場合は、前記風セキュリティー信号の送信がディスエーブルとされ、
前記風セキュリティー信号の送信は、前記ディスエーブル状態においては禁止され、他の信号の送信は可能なままとされ、或いは、
前記風セキュリティー信号の送信は、前記ディスエーブル状態においてはイネーブルとされ、当該風セキュリティー信号はディスエーブル信号によってディスエーブルとされるセンサ送信機。
【請求項２】
請求項１に記載のセンサ送信機において、前記ディスエーブル信号は、前記センサの前記ディスエーブル状態を示す情報を備えるセンサ送信機。
【請求項３】
請求項１または２に記載のセンサ送信機において、前記他の信号は、プレゼンス信号を含むセンサ送信機。
【請求項４】
移動構造体、および、無線受信機が設けられた制御ユニットを有する固定構造体を備え、風セキュリティー信号を受信してモータを活性化する動力化されたオーニングまたはブラインドのホームオートメーション設備であって、前記移動構造体上に取り付けられ、ケーシングにおいて、自主的な電源と、振動センサと、無線送信機と、前記振動センサから獲得された信号を分析し、前記無線送信機によって前記風セキュリティー信号を送信するかどうかを決定する論理処理ユニットと、を備え、前記センサ送信機は、前記ケーシングの機械的状態を検出する手段を備え、前記センサ送信機は、風セキュリティースレッショルドに達したときに前記オーニングまたはブラインドを引っ込めるために、前記ケーシングが閉鎖され、前記移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされるセンサ送信機を備えるホームオートメーション設備。
【請求項５】
移動構造体、および、無線受信機が設けられた制御ユニットを有する固定構造体を備え、バリッド風セキュリティー信号を受信してモータを活性化する動力化されたオーニングまたはブラインドのホームオートメーション設備であって、前記移動構造体上に取り付けられ、ケーシングにおいて、自主的な電源と、振動センサと、無線送信機と、前記振動センサから獲得された信号を分析し、前記無線送信機によって前記風セキュリティー信号を送信するかどうかを決定する論理処理ユニットと、を備え、前記センサ送信機は、前記ケーシングの機械的状態を検出する手段を備え、前記センサ送信機は、風セキュリティースレッショルドに達したときに前記オーニングまたはブラインドを引っ込めるために、前記ケーシングが閉鎖され、前記移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされるセンサ送信機を備えるホームオートメーション設備。
【請求項６】
請求項４または５に記載のホームオートメーション設備において、前記移動構造体は、動力化されたアーム式オーニングを備えるホームオートメーション設備。
【請求項７】
請求項１〜３のいずれか１項に記載のセンサ送信機のためのオペレーティング方法であって、
前記ケーシングの前記機械的状態がモニタされるステップと、
前記ケーシングの前記機械的状態に応じた動作状態またはディスエーブル状態において前記センサ送信機が位置決めされるステップと、を備えるオペレーティング方法。
【請求項８】
請求項７に記載のオペレーティング方法において、
前記ディスエーブル状態において、前記センサ送信機が周期的にプレゼンス信号を送信するオペレーティング方法。
【請求項９】
ケーシングにおいて、自主的な電源と、振動センサと、無線送信機と、前記振動センサから獲得された信号を分析し、前記無線送信機によって風セキュリティー信号を送信するかどうかを決定する論理処理ユニットと、を備えるセンサ送信機であって、該センサ送信機は、前記ケーシングの機械的状態を検出する手段を備え、前記センサ送信機は、風セキュリティースレッショルドに達したときにオーニングまたはブラインドを引っ込めるために、前記ケーシングが閉鎖され、移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされるセンサ送信機のための学習方法であって、
前記ケーシングの前記機械的状態がモニタされるステップと、
前記ケーシングの前記機械的状態に応じた動作状態またはディスエーブル状態において前記センサ送信機が位置決めされるステップと、
前記センサ送信機が、第１の予め定められた持続時間よりも少ない持続時間でディスエーブル状態になっているとき、設定手順をトリガーするステップと、を備える学習方法。
【請求項１０】
請求項９に記載の学習方法において、前記設定手順は、
前記移動構造体を手動で動かすステップと、
前記振動センサを使用して測定するステップと、
前記測定値を格納するステップと、
前記格納された測定値から少なくとも１つのスレッショルド値を計算するステップと、
スレッショルド値を格納するステップと、を備える学習方法。
【請求項１１】
請求項９または１０に記載の学習方法において、前記センサ送信機は、前記設定手順の後、動作状態に切り替える学習方法。
【手続補正２】
【補正対象書類名】明細書
【補正対象項目名】００１７
【補正方法】変更
【補正の内容】
【００１７】
本発明の第１の形態によれば、動力化されたオーニングまたはブラインドの移動構造体に留められ、家またはビルのオートメーション設備における風セキュリティー信号を送信するようにされたセンサ送信機であって、ケーシングにおいて、自主的な電源と、振動センサと、無線送信機と、前記振動センサから獲得された信号を分析し、前記無線送信機によって前記風セキュリティー信号を送信するかどうかを決定する論理処理ユニットと、を備え、前記センサ送信機は、前記ケーシングの機械的状態を検出する手段を備え、前記センサ送信機は、風セキュリティースレッショルドに達したときに前記オーニングまたはブラインドを引っ込めるために、前記ケーシングが閉鎖され、前記移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされるセンサ送信機が提供される。
【手続補正３】
【補正対象書類名】明細書
【補正対象項目名】００１９
【補正方法】変更
【補正の内容】
【００１９】
また、本発明の第２の形態によれば、移動構造体、および、無線受信機が設けられた制御ユニットを有する固定構造体を備え、風セキュリティー信号を受信してモータを活性化する動力化されたオーニングまたはブラインドのホームオートメーション設備であって、ケーシングにおいて、自主的な電源と、振動センサと、無線送信機と、前記振動センサから獲得された信号を分析し、前記無線送信機によって前記風セキュリティー信号を送信するかどうかを決定する論理処理ユニットと、を備え、前記センサ送信機は、前記ケーシングの機械的状態を検出する手段を備え、前記センサ送信機は、風セキュリティースレッショルドに達したときに前記オーニングまたはブラインドを引っ込めるために、前記ケーシングが閉鎖され、前記移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされるセンサ送信機を備えるホームオートメーション設備が提供される。
【手続補正４】
【補正対象書類名】明細書
【補正対象項目名】００２０
【補正方法】変更
【補正の内容】
【００２０】
なお、本発明の第２の形態によれば、移動構造体、および、無線受信機が設けられた制御ユニットを有する固定構造体を備え、バリッド風セキュリティー信号を受信してモータを活性化する動力化されたオーニングまたはブラインドのホームオートメーション設備であって、ケーシングにおいて、自主的な電源と、振動センサと、無線送信機と、前記振動センサから獲得された信号を分析し、前記無線送信機によって前記風セキュリティー信号を送信するかどうかを決定する論理処理ユニットと、を備え、前記センサ送信機は、前記ケーシングの機械的状態を検出する手段を備え、前記センサ送信機は、風セキュリティースレッショルドに達したときに前記オーニングまたはブラインドを引っ込めるために、前記ケーシングが閉鎖され、前記移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされるセンサ送信機を備えるホームオートメーション設備も提供される。
【手続補正５】
【補正対象書類名】明細書
【補正対象項目名】００２２
【補正方法】変更
【補正の内容】
【００２２】
さらに、本発明の第３の形態によれば、センサ送信機のためのオペレーティング方法であって、該センサ送信機は、動力化されたオーニングまたはブラインドの移動構造体に留められ、家またはビルのオートメーション設備における風セキュリティー信号を送信するようにされたセンサ送信機であって、ケーシングにおいて、自主的な電源と、振動センサと、無線送信機と、前記振動センサから獲得された信号を分析し、前記無線送信機によって前記風セキュリティー信号を送信するかどうかを決定する論理処理ユニットと、を備え、前記センサ送信機は、前記ケーシングの機械的状態を検出する手段を備え、前記センサ送信機は、風セキュリティースレッショルドに達したときに前記オーニングまたはブラインドを引っ込めるために、前記ケーシングが閉鎖され、前記移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされ、前記オペレーティング方法は、前記ケーシングの前記機械的状態がモニタされるステップと、前記ケーシングの前記機械的状態に応じた動作状態またはディスエーブル状態において前記センサ送信機が位置決めされるステップと、を備えるオペレーティング方法が提供される。
【手続補正６】
【補正対象書類名】明細書
【補正対象項目名】００２４
【補正方法】変更
【補正の内容】
【００２４】
そして、本発明の第４の形態によれば、ケーシングにおいて、自主的な電源と、振動センサと、無線送信機と、前記振動センサから獲得された信号を分析し、前記無線送信機によって風セキュリティー信号を送信するかどうかを決定する論理処理ユニットと、を備えるセンサ送信機であって、該センサ送信機は、前記ケーシングの機械的状態を検出する手段を備え、前記センサ送信機は、風セキュリティースレッショルドに達したときにオーニングまたはブラインドを引っ込めるために、前記ケーシングが閉鎖され、移動構造体に留められる動作状態において、前記風セキュリティー信号の送信は、当該動作状態においてイネーブルとされると共に、他の場合は、前記風セキュリティー信号の送信がディスエーブルとされ、前記風セキュリティー信号の送信は、前記ディスエーブル状態においては禁止され、他の信号の送信は可能なままとされ、或いは、前記風セキュリティー信号の送信は、前記ディスエーブル状態においてはイネーブルとされ、当該風セキュリティー信号はディスエーブル信号によってディスエーブルとされるセンサ送信機のための学習方法であって、前記ケーシングの前記機械的状態がモニタされるステップと、前記ケーシングの前記機械的状態に応じた動作状態またはディスエーブル状態において前記センサ送信機が位置決めされるステップと、前記センサ送信機が、第１の予め定められた持続時間よりも少ない持続時間でディスエーブル状態になっているとき、設定手順をトリガーするステップと、を備える学習方法が提供される。